(57)【要約】【課題】ニードル弁の取り外しが容易な燃料供給装置及びコンロを提供する。【解決手段】コンロの内部には、各種バーナに対応する燃料供給装置２０が設けられている。燃料供給装置２０のガス流量調節部４０は、筐体部４１を備える。筐体部４１の内部には、ガス通路が形成されている。筐体部４１の前端部には、ガス通路と連通する筒部４２１が設けられている。ニードル弁６０は、前端部６１側を外部に露出した状態で、後端部側を筒部４２１の穴部とガス通路に対して、前後方向に移動自在に収納されている。筐体部４１の前端部には、ピン６５の移動範囲を規制する規制部材７０が着脱自在に固定されている。それ故、作業者は、規制部材７０を筐体部４１の固定板４７から取り外すだけで、筐体部４１の筒部４２１の穴部からニードル弁６０を抜き取ることができるので、ニードル弁６０を容易に交換できる。【選択図】図５
2018123966.tif 000002
【特許請求の範囲】
【請求項１】
バーナの点火及び消火の為に押し込み操作され、当該押し込み操作の方向である押し込み操作方向に平行な操作軸心の回りに回転操作自在に設けられた操作ボタンと、
前記操作ボタンの前記押し込み操作方向に平行な方向に延び且つ移動自在なニードル弁を備えると共に、前記操作ボタンに並設され、前記ニードル弁の位置に応じて前記バーナに供給するガス流量を調節するガス流量調節部と、
前記押し込み操作方向での移動を規制され、且つ前記操作軸心の回りに回転自在に設けられた火力調節カムと、
前記操作ボタンの回転力を前記火力調節カムに伝達できるように、前記操作ボタンと前記火力調節カムを一体回転自在に連結する連結部と、
前記ニードル弁の前記押し込み操作方向の上流側の一端側に設けられ、前記火力調節カムの外周部に向けて突出するピンと、
前記火力調節カムの前記外周部に前記操作軸心を軸心とする螺旋状に形成され、前記ピンの先端部が係合するカム溝と
を備えた燃料供給装置であって、
前記ガス流量調節部は、
前記ニードル弁を、前記ニードル弁の前記一端側を外部に露出した状態で、前記押し込み操作方向に平行な方向に移動自在に収納するニードル用穴部を有する筐体部を備え、
前記筐体部における前記ニードル用穴部の開口が設けられた端部には、前記開口から外部に突出する前記ニードル弁の前記一端側に設けられた前記ピンの移動範囲を規制する規制部材が着脱自在に固定されていること
を特徴とする燃料供給装置。
【請求項２】
前記規制部材には、
前記ニードル弁の前記ピンを挿通させるスリットであって、前記押し込み操作方向に平行な方向に延びるスリットが設けられ、
前記スリットの押し込み操作方向の上流側の一端部の位置は、該一端部に前記ピンが当接した状態のときに、前記ニードル弁が前記ニードル用穴部の前記開口から抜けない位置に設定されていること
を特徴とする請求項１に記載の燃料供給装置。
【請求項３】
請求項１又は２に記載の燃料供給装置を備えたことを特徴とするコンロ。
【発明の詳細な説明】
【技術分野】
【０００１】
本発明は、燃料供給装置及びコンロに関する。
【背景技術】
【０００２】
従来、操作軸心の回りに回転操作自在に構成された燃焼操作具と、燃料調節用弁体を弁ケースの内部に備える燃料調節弁と、燃料調節弁を操作する燃料調節機構部とが設けられ、燃料調節機構部が、操作軸心の回りに回転自在な状態で設けられた弁操作用回転体と、燃焼操作具と弁操作用回転体とを一体回転自在に連結する連結部と、燃料調節用弁体の移動方向に沿って弁ケースに形成した挿通孔を挿通し且つ燃料調節用弁体に止着した被係止体と、弁操作用回転体の外周部に操作軸心を軸心とする螺旋溝状に形成され且つ被係止体の先端部が係合する弁操作溝とから構成されたガス調理器の操作装置が知られている（例えば、特許文献１参照）。
【先行技術文献】
【特許文献】
【０００３】
【特許文献１】特開２０１７−３１６４号公報
【発明の概要】
【発明が解決しようとする課題】
【０００４】
特許文献１に記載の操作装置の燃料調節弁は、燃料を調節する為の燃料調節用弁体（ニードル弁）の全部位を弁ケース（筐体部）の内部に備えているので、燃料調節用弁体を交換する為には、弁ケースを操作装置から取り外さなければならず、手間であった。
【０００５】
本発明の目的は、ニードル弁の取り外しが容易な燃料供給装置及びコンロを提供することである。
【課題を解決するための手段】
【０００６】
本発明の請求項１に係る燃料供給装置は、バーナの点火及び消火の為に押し込み操作され、当該押し込み操作の方向である押し込み操作方向に平行な操作軸心の回りに回転操作自在に設けられた操作ボタンと、前記操作ボタンの前記押し込み操作方向に平行な方向に延び且つ移動自在なニードル弁を備えると共に、前記操作ボタンに並設され、前記ニードル弁の位置に応じて前記バーナに供給するガス流量を調節するガス流量調節部と、前記押し込み操作方向での移動を規制され、且つ前記操作軸心の回りに回転自在に設けられた火力調節カムと、前記操作ボタンの回転力を前記火力調節カムに伝達できるように、前記操作ボタンと前記火力調節カムを一体回転自在に連結する連結部と、前記ニードル弁の前記押し込み操作方向の上流側の一端側に設けられ、前記火力調節カムの外周部に向けて突出するピンと、前記火力調節カムの前記外周部に前記操作軸心を軸心とする螺旋状に形成され、前記ピンの先端部が係合するカム溝とを備えた燃料供給装置であって、前記ガス流量調節部は、前記ニードル弁を、前記ニードル弁の前記一端側を外部に露出した状態で、前記押し込み操作方向に平行な方向に移動自在に収納するニードル用穴部を有する筐体部を備え、前記筐体部における前記ニードル用穴部の開口が設けられた端部には、前記開口から外部に突出する前記ニードル弁の前記一端側に設けられた前記ピンの移動範囲を規制する規制部材が着脱自在に固定されていることを特徴とする。
【０００７】
請求項２に係る発明の燃料供給装置は、請求項１に記載の発明の構成に加え、前記規制部材には、前記ニードル弁の前記ピンを挿通させるスリットであって、前記押し込み操作方向に平行な方向に延びるスリットが設けられ、前記スリットの押し込み操作方向の上流側の一端部の位置は、該一端部に前記ピンが当接した状態のときに、前記ニードル弁が前記ニードル用穴部の前記開口から抜けない位置に設定されているのがよい。
【０００８】
請求項３に係る発明のコンロは、請求項１又は２に記載の燃料供給装置を備えたことを特徴とする。
【発明の効果】
【０００９】
請求項１に係る発明の燃料供給装置によれば、操作ボタンを回転操作すると、連結部によって操作ボタンと連結された火力調節カムが操作軸心の回りに回転する。その火力調節カムの回転により、火力調節カムの外周部のカム溝に係合するピンが移動することで、ニードル弁が移動操作される。ニードル弁のピンの移動範囲は、規制部材によって規制されている。これにより、筐体部のニードル用穴部からニードル弁が抜けてしまうのを防止できる。そして、ニードル弁は、ガス流量調節部の筐体部に設けられたニードル用穴部に収納され、そのニードル弁の押し込み操作方向の上流側の一端側は、筐体部の端部に設けられたニードル用穴部の開口から外部に露出されている。ニードル弁のピンの移動範囲を規制する規制部材は、筐体部の端部に着脱自在に固定されている。ここで、例えば、コンロに適用するガス種を変更する場合、ガス種に応じたニードル弁と交換する必要がある。これに対し、本発明では、規制部材を筐体部の端部から取り外すだけで、筐体部のニードル用穴部の開口からニードル弁を抜き取ることができるので、ニードル弁を容易且つ短時間で交換できる。また、筐体部を例えば金属のダイキャスト成型等で作製する場合、仮にニードル弁の全部を筐体部の内部に収納するタイプのものでは、ニードル弁を取り付ける為に筐体部を分割して作製したり、ピンを挿通させる為の挿通孔を筐体部に形成する必要があるので、筐体部の作製に手間がかかる。これに対し、本発明は、ニードル弁の一端側を外部に露出させると共に、筐体部と規制部材を別部品にし、規制部材を筐体部に対して着脱可能に固定したことで、筐体部の構成をシンプルにできるので、作製が容易である。
【００１０】
請求項２に係る発明の燃料供給装置によれば、請求項１に記載の発明の効果に加え、ピンがスリットに沿って移動することにより、ニードル弁を移動方向に安定してガイドできる。よって、ニードル弁の良好な移動操作が可能となる。さらに、ピンをスリットの内縁部で挟み込むので、ピンがニードル弁の軸心を中心に回転してしまうのを防止できる。さらに、スリットの押し込み操作方向の上流側の一端部の位置は、該一端部にピンが当接した状態のときに、ニードル弁がニードル用穴部の開口から抜けない位置にされているので、筐体部のニードル用穴部の開口からニードル弁が抜けてしまうのを確実に防止できる。また、ピンを挿通させるスリットは規制部材に設けられているので、筐体部にスリットを設ける必要が無い。故に筐体部の構成をシンプルにすることができるので、作製し易い。
【００１１】
請求項３に係る発明のコンロによれば、請求項１又は２に記載の燃料供給装置を備えるので、請求項１又は２に記載の効果が得られるコンロを提供できる。
【００１２】
なお、本発明は、請求項１から３の夫々の発明特定事項を任意に組み合わせてもよい。
【００１３】
また、本発明は、前記ニードル弁の前記上流側の一端を、前記ニードル用穴部側に付勢する付勢手段を備え、前記規制部材には、前記付勢手段を支持する支持部が設けられていてもよい。これにより、ニードル弁のピンを、付勢手段によって、火力調節カムのカム溝の内側の斜面に押さえ付けることができる。よって、ピンとカム溝の内側の斜面との間に隙間が形成されないので、操作ボタンの回動操作を、ニードル弁の移動動作に直接的に変換できる。つまり、操作ボタンの回動位置に応じて、ニードル弁の位置を正確に位置決めできるので、バーナの火力を正確に調節できる。
【図面の簡単な説明】
【００１４】
【図１】コンロ１の斜視図である。
【図２】燃料供給装置２０の斜視図である。
【図３】燃料供給装置２０の上部のみを分解した斜視図である。
【図４】燃料供給装置２０の正面図である。
【図５】燃料供給装置２０の右側面図である。
【図６】図４に示すＩ−Ｉ線矢視方向断面図である。
【発明を実施するための形態】
【００１５】
以下、本発明の実施形態を説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１６】
図１を参照し、コンロ１の構造を説明する。コンロ１は、ビルトインコンロである。コンロ１の上面には、天板３が設置されている。天板３において、右手前には右コンロバーナ４、左手前には左コンロバーナ５、中央奥側には奥コンロバーナ６が設けられている。天板３の後方部には、コンロ１内に設置されたグリル（図示略）の排気口７が設けられている。
【００１７】
コンロ１の前面の略中央には、グリル扉８が設けられている。グリル扉８の右側の領域には、右側から左側に向かって順に、正面視円形状の操作ボタン１１〜１３が横一列に並んで設けられている。一方、グリル扉８の左側の領域には、操作ボタン１１〜１３と同一高さ位置に、同一円形状の操作ボタン１４が設けられている。操作ボタン１１は右コンロバーナ４、操作ボタン１２は左コンロバーナ５、操作ボタン１３は奥コンロバーナ６、操作ボタン１４はグリル庫内のグリルバーナ（図示略）を点火、消火する為に押下される。操作ボタン１１〜１４は、各種バーナ４〜６、グリルバーナの消火時、コンロ１の前面とほぼ面一の状態である（図１参照）。点火の為に押下されると、対応するバーナ４〜６が点火され、後述するプッシュ・プッシュ機構２４（図２参照）によって、操作ボタン１１〜１４は、コンロ１前面から前方に向けて略円柱状に突出し、該突出した状態で回動操作が可能となる（図２，図５参照）。使用者は、操作ボタン１１〜１４を夫々回動させることによって、各種バーナ４〜６の火力調節が可能となる。
【００１８】
図２に示すように、操作ボタン１１は、燃料供給装置２０の前端側に設けられている。燃料供給装置２０は、コンロ１の内部であって、コンロ１の前面に設けられる操作ボタン１１に対応する位置に取り付けられている。なお、図示しないが、コンロ１の内部には、その他の操作ボタン１２〜１４に対応する各位置にも、燃料供給装置２０と同一構成の燃料供給装置が夫々設置されている。
【００１９】
図２〜図６を参照し、燃料供給装置２０の構造を説明する。なお、本実施形態では、操作ボタン１１を備える燃料供給装置２０を一例として説明する。また、図２〜図６は何れも、操作ボタン１１を押し込み、右コンロバーナ４が点火されて燃焼状態である場合に、操作ボタン１１がコンロ１前面から前方に向けて突出する燃焼位置にある状態を示している。
【００２０】
燃料供給装置２０は、操作ボタン１１の押し込み操作と回転操作により、右コンロバーナ４の点火と消火、及び右コンロバーナ４に供給するガス量を調節する。燃料供給装置２０は、操作ボタン１１、本体組立２１、連結部材２５、火力調節カム３０、ガス流量調節部４０、規制部材７０、バネ８０等を備える。
【００２１】
操作ボタン１１は略円柱状に形成されている。操作ボタン１１は、コンロ１の前後方向に押し込み移動させることにより、消火位置、点火位置、燃焼位置等の各位置に切換自在に構成されている。操作ボタン１１がコンロ１前面から前方に向けて突出する燃焼位置にあるときは、押し込み操作方向（コンロ１の前後方向）に沿う操作軸心Ｏの回りに回転操作自在に構成されている。
【００２２】
本体組立２１は、燃料供給装置２０の下部に設けられ、前側ケーシング部２２と後側ケーシング部２３を備える。前側ケーシング部２２の内部には、コンロ１の前後方向に延びる収納空間（図示略）が形成され、その収納空間には、プッシュ・プッシュ機構２４の一部と、該プッシュ・プッシュ機構２４によって後述するメイン弁を前後方向に押し込み移動させるスライダ（図示略）等が収納されている。さらに、前側ケーシング部２２の前端部の外側には、操作ボタン１１と一体して連結し、操作ボタン１１の押し込み操作によってプッシュ・プッシュ機構２４を動作させる連結部材２５が、操作軸心Ｏの回りでの回転を阻止された状態で、操作軸心Ｏの軸心方向に沿って移動自在に設けられている。プッシュ・プッシュ機構２４は、操作ボタン１１と一体化した連結部材２５の押し込み移動によって、スライダを前後方向に押し込み移動させ、メイン弁を開閉させると共に、連結部材２５を介して操作ボタン１１の位置決めを行う。プッシュ・プッシュ機構２４は周知のものを用いてもよい。
【００２３】
後側ケーシング部２３の内部には、コンロ１の前後方向に延びる収納空間とガス通路（図示略）が夫々形成されている。収納空間の内部には、図示しないメイン弁と安全弁等が夫々装着されている。メイン弁は、操作ボタン１１の押し込み操作によって前後に移動するスライダの位置に応じてガス通路の開閉操作を行う。安全弁は、ガス通路を閉じる閉状態に弾性付勢された電磁操作式である。後側ケーシング部２３の下部には、ガス供給管が接続される接続部２３１が設けられ、該接続部２３１には、ガス供給管からガス通路に向けてガスが導入される導入口（図示略）が設けられている。後側ケーシング部２３の上部には、後述するガス流量調節部４０の下部に固定される固定部２３２が設けられている。固定部２３２には、ガス通路を流れたガスが流出される流出口２３３が設けられている。なお、メイン弁と安全弁は何れも周知のものであるので、動作の説明は省略する。
【００２４】
連結部材２５は、略円筒状に形成され、操作ボタン１１と同軸上に一体して連結する。連結部材２５は、内側にスライダの前端側を挿入した状態で、前側ケーシング部２２の内部に収納されている。連結部材２５は、操作ボタン１１の押し込み操作によって前後に移動することにより、スライダを前後に移動させる。連結部材２５は、操作ボタン１１が燃焼状態に位置決めされたときに、操作ボタン１１と後述する火力調節カム３０とを一体回転自在に連結する。それ故、連結部材２５は、操作ボタン１１の回転力を火力調節カム３０に伝達できる。
【００２５】
火力調節カム３０は、略半円筒状に形成され、前側ケーシング部２２の前端側上部の一部を径方向から覆うようにして、操作ボタン１１の押し込み操作方向での移動を規制された状態で、操作軸心Ｏの回りに回転自在に設けられている。火力調節カム３０の外周部には、カム溝３５が設けられている。カム溝３５は、操作軸心Ｏを中心とする螺旋状に形成されている。なお、カム溝３５の幅は、後述するニードル弁６０に設けられたピン６５の径よりも若干長いのが好ましい。これにより、ピン６５がカム溝３５の内側に沿って滑らかに移動できる。
【００２６】
図３に示すように、ガス流量調節部４０は、燃料供給装置２０の上部に設けられ、本体組立２１の上部に固定されている。ガス流量調節部４０は、筐体部４１及び火力切替電磁弁５５を備える。筐体部４１は、前後方向に延びる略筒状に形成され、その内部には、筐体部４１の軸心方向に延びるガス通路４１０（図６参照）が形成されている。図３に示すように、筐体部４１の後端側の下部には、固定部４３が設けられている。固定部４３には、後側ケーシング部２３の固定部２３２がネジで固定される。固定部４３には、ガス通路４１０のガスが流れる上流側と連通する流入口４３１（図６参照）が設けられている。よって、後側ケーシング部２３の固定部２３２の流出口２３３から流出したガスは、固定部４３の流入口４３１から、筐体部４１内のガス通路４１０に流れるようになっている。筐体部４１の上部の前端側には、ガス通路４１０の下流側と連通する上向きの流出口４１１が設けられている。流出口４１１は、ガス通路４１０を流れたガスを、右コンロバーナ４のガス供給管（図示略）の入口に向けて供給する。
【００２７】
筐体部４１の前端部には、正面視略矩形状の前面板４２が設けられている。前面板４２の略中央には、前方に突出する略円筒状の筒部４２１が設けられている。筒部４２１の内側には、前後方向に延びる穴部４２２が形成されている。穴部４２２は、筐体部４１の内部に設けられたガス通路４１０と連通する（図６参照）。穴部４２２及びガス通路４１０に対して、前側からニードル弁６０が挿入されている。ニードル弁６０は、筐体部４１の筒部４２１から前端部６１側が外部に露出された状態で、ガス通路４１０において前後方向に移動自在に収納されている。ニードル弁６０の前端部６１には、ニードル弁６０の長さ方向に直交する方向で、且つ火力調節カム３０の外周部に向かって突出するピン６５が設けられている。ピン６５の先端部は、火力調節カム３０の外周部に設けられたカム溝３５に沿って移動可能に係合する（図５，図６参照）。これにより、火力調節カム３０が回転すると、ピン６５がカム溝３５の内面に押されて、スリット７７に沿って前後方向に案内されるので、ニードル弁６０を前後方向に移動させることができる。
【００２８】
筐体部４１の後端部には、火力切替電磁弁５５が設けられている。火力切替電磁弁５５は、ガス通路４１０に接続された火力調節用の流路（図示略）を開閉操作するものである。コンロ１の動作を制御する制御部は、コンロ１の操作パネル（図示略）において例えば自動調理メニューの選択を受け付けた場合に、火力切替電磁弁５５を駆動して火力調節用の流路を開閉する。これにより、右コンロバーナ４の火力を弱火力と強火力とに自動的に切り替えることができる。
【００２９】
前面板４２には、平面視コの字型の固定板４７が一対のネジ４２３によって固定されている。固定板４７の下端部には、上方に凸となる半円弧状の切欠き部４８が形成されている。切欠き部４８は、本体組立２１における火力調節カム３０の後方で、且つ前側ケーシング部２２の外周面に沿って配置される。固定板４７の上端部には、正面視略Ｕ字状の溝部４９が形成されている。溝部４９の内側には、前面板４２から前方に突出する上述の筒部４２１が配置されている。溝部４９の左右両側には、後述する規制部材７０を一対のネジ９０で固定する為の一対の固定孔４７１が設けられている。
【００３０】
規制部材７０は、板金を折り曲げることによって側面視略Ｕ字状に形成され、固定板４７の前面に対して一対のネジ９０で着脱自在に固定されている。規制部材７０は、固定板部７１、前方延出部７２、バネ当て部７３を備える。固定板部７１は、正面視左右方向に長い略矩形状に形成された部分である。前方延出部７２は、固定板部７１の下端部の中央部から直角前方に延びる平面視略矩形状に形成された部分である。バネ当て部７３は、前方延出部７２の前端部から上方に突出し、且つ固定板部７１の前面と対向配置された正面視略矩形状に形成された部分である。固定板部７１の略中央部には、略円形状の開口部７５が設けられている。開口部７５の内側には、ニードル弁６０の外部に露出する前端部６１側が挿入配置される。開口部７５の左右両側には、一対の固定孔７１３が設けられている。これら一対の固定孔７１３には、一対のネジ９０が前方から挿入され、固定板４７に設けられた一対の固定孔４７１に夫々締結される。これにより、規制部材７０が固定板４７に固定される。さらに、固定板部７１の上側の左右の両角部には、一対の貫通孔７１１が設けられている。これら一対の貫通孔７１１には、固定板４７の上側の左右の両角部に設けられた孔部（図示略）から前方に突出する一対のネジ４２３が挿入される。
【００３１】
前方延出部７２には、スリット７７が設けられている。スリット７７は、操作ボタン１１の押し込み操作方向に平行な前後方向に延びている。スリット７７の後端側は、固定板部７１まで延び、開口部７５の下部と連通している。スリット７７には、ニードル弁６０のピン６５が上方から下方に向かって挿通される。それ故、ピン６５はスリット７７に沿って前後に移動する。即ち、ニードル弁６０は、ピン６５を介して前後方向にガイドされるので、ニードル弁６０の良好な移動操作が可能となる。また、ピン６５がスリット７７の内側に挿通されているので、ピン６５をスリット７７で左右両側から挟み込む位置関係となるので、ピン６５がニードル弁６０の軸心を中心に回転してしまうのを防止できる。
【００３２】
さらに、スリット７７の前端部の位置は、該前端部にピン６５が当接した状態のときに、ニードル弁６０が筒部４２１の穴部４２２から抜けない位置に設定されている。これにより、筒部４２１の穴部４２２からニードル弁６０が前方に抜けてしまうのを確実に防止できる。バネ当て部７３は、前方に突出するニードル弁６０の前端部６１に対して、対向配置されている。
【００３３】
バネ８０は、コイル状の圧縮バネであって、バネ当て部７３と、ニードル弁６０の前端部６１との間に、圧縮された状態で取り付けられている（図５，図６参照）。これにより、バネ８０は、ニードル弁６０を後方に向けて常時付勢する。この効果については後述する。
【００３４】
次に、操作ボタン１１の回動操作による火力調節について説明する。図２に示すように、操作ボタン１１がコンロ１前面から前方に突出する燃焼位置にある状態では、操作ボタン１１と火力調節カム３０は、連結部材２５を介して一体回転自在に連結されている。この状態で、操作ボタン１１を回転操作すると、操作ボタン１１と共に火力調節カム３０が操作軸心Ｏの回りを回転する。火力調節カム３０が回転すると、外周部に形成されたカム溝３５が操作軸心Ｏを中心として回転するので、カム溝３５に係合するピン６５がカム溝３５の内面に押されて前後方向に案内されて移動する。これにより、ニードル弁６０が前後方向に移動するので、ニードル弁６０の位置に応じて、ガス通路４１０から流出口４１１に流れるガス流量が調節される。
【００３５】
このような仕組みを備える燃料供給装置２０では、バネ当て部７３と、ニードル弁６０の前端部６１との間に、バネ８０が配置されているので、ピン６５を、バネ８０によって、火力調節カム３０のカム溝３５の内側の斜面に押さえ付けている。これにより、ピン６５とカム溝３５の内側の斜面との間に隙間が形成されず、常時当接した状態となるので、操作ボタン１１の回動操作を、ニードル弁６０の前後方向への移動動作に直接的に変換できる。つまり、操作ボタン１１の回動位置に応じて、ニードル弁６０の位置を正確に位置決めできるので、右コンロバーナ４の火力を正確に調節できる。従って、操作ボタン１１の回動操作による右コンロバーナ４の火力変化に生じるヒステリシスを抑制できる。
【００３６】
そして、上記構成を有する燃料供給装置２０では、ニードル弁６０の前端部６１側を、筒部４２１の穴部４２２から外部に露出させた状態で、ニードル弁６０の後端部６２側を、筒部４２１の穴部４２２から筐体部４１のガス通路４１０の内部に挿入している。さらに、ニードル弁６０のピン６５の移動範囲を規制する規制部材７０は、筐体部４１の固定板４７に一対のネジ９０で着脱自在に固定されている。ここで、例えばガス種を変更する際には、ガス種に対応するニードル弁６０と交換する為に、燃料供給装置２０からニードル弁６０を取り外さなければならない。その場合、作業者は、一対のネジ９０を緩め、規制部材７０を筐体部４１の固定板４７から取り外すだけで、筐体部４１の筒部４２１の穴部４２２からニードル弁６０を前方に抜き取ることができる。そして、ガス種に応じたニードル弁６０と規制部材７０とバネ８０を、ガス流量調節部４０の筐体部４１に対し、逆の手順で取り付けることによって、ニードル弁６０を容易且つ短時間で交換できる。
【００３７】
なお、筐体部４１は、例えば金属のダイキャスト成型で作製するのがよい。仮にニードル弁６０の全部を内部に収納するように設計した筐体部をダイキャスト成型で作製しようとした場合、ニードル弁６０の全部を内部に収納するので、ニードル弁６０を取り付ける為に筐体部を分割して作製したり、ピン６５を挿通させる為の挿通孔（スリット）等を筐体部に形成する必要があり、筐体部の作製に手間がかかる。これに対し、本実施形態の筐体部４１では、ニードル弁６０の前端部６１側を外部に露出させると共に、筐体部４１と規制部材７０を別部品にし、その規制部材７０を筐体部４１に対して着脱可能に固定したことで、筐体部４１の構造をシンプルにすることができるので、筐体部４１をダイキャスト成型で容易に作製できる。また、ピン６５を挿通させるスリット７７を規制部材７０に設けているので、筐体部４１にスリットを設ける必要が無い。故に筐体部４１の構成をシンプルにできるので、ダイキャスト成型で作製し易い。
【００３８】
以上説明したように、本実施形態のコンロ１は、例えば右コンロバーナ４に対応する燃料供給装置２０を備えている。燃料供給装置２０は、操作ボタン１１、ガス流量調節部４０、火力調節カム３０、連結部材２５等を備える。操作ボタン１１は、右コンロバーナ４の点火及び消火の為に押し込み操作され、当該押し込み操作の方向である押し込み操作方向に平行な操作軸心Ｏの回りに回転操作自在に設けられている。ガス流量調節部４０は、操作ボタン１１の押し込み操作方向に平行な方向に延び且つ移動自在なニードル弁６０を備えている。ガス流量調節部４０は、操作ボタン１１に並設され、ニードル弁６０の位置に応じて右コンロバーナ４に供給するガス流量を調節する。火力調節カム３０は、操作ボタン１１の押し込み操作方向での移動を規制され、且つ操作軸心Ｏの回りに回転自在に設けられている。連結部材２５は、操作ボタン１１の回転力を火力調節カム３０に伝達できるように、操作ボタン１１が燃焼位置に位置決めされた場合に、操作ボタン１１と火力調節カム３０を一体回転自在に連結する。ニードル弁６０の前端部６１側には、火力調節カム３０の外周部に向けて突出するピン６５が設けられている。火力調節カム３０の外周部には、操作軸心Ｏを軸心とする螺旋状に形成されたカム溝３５が形成されている。カム溝３５には、ニードル弁６０のピン６５の先端部が係合している。
【００３９】
このような燃料供給装置２０において、ガス流量調節部４０は、筐体部４１を備える。筐体部４１の内部には、ガス通路４１０が形成され、その前端部には、前方に突出し且つガス通路４１０と連通する筒部４２１が設けられている。ニードル弁６０は、前端部６１側を外部に露出した状態で、後端部６２側を筒部４２１の穴部４２２とガス通路４１０に対して、前後方向に移動自在に収納されている。さらに、筐体部４１の前端部に設けられた固定板４７には、ピン６５の移動範囲を規制する規制部材７０が着脱自在に固定されている。それ故、規制部材７０を筐体部４１の固定板４７から取り外すだけで、筐体部４１の筒部４２１の穴部４２２からニードル弁６０を抜き取ることができるので、ニードル弁６０を容易に交換でき、短時間で作業を終えることができる。
【００４０】
以上説明において、連結部材２５が本発明の「連結部」の一例である。筐体部４１の内部に設けられたガス通路４１０と、該ガス通路４１０に連通する筒部４２１の穴部４２２とが本発明の「ニードル用孔部」の一例である。筒部４２１の穴部４２２が本発明の「ニードル用孔部の開口」の一例である。
【００４１】
なお、本発明は上記実施形態に限定されるものではなく、種々の変更が可能である。本実施形態では、燃料供給装置２０を備えるコンロ１を例示したが、種々のガス調理器にも適用可能であり、例えば、グリル庫のみを備えたガス調理器にも適用できる。また、コンロバーナの数についても一つでも、複数でもよい。また、上記実施形態のコンロ１はビルトインコンロであるが、テーブルコンロであってもよい。
【００４２】
また、上記実施形態では、バネ当て部７３と、ニードル弁６０の前端部６１との間に、バネ８０を配置しているが、バネ８０を省略してもよい。バネ８０を省略する場合は、規制部材７０のバネ当て部７３は省略してもよい。また、バネ８０の代わりに、板バネ等の弾性部材を配置してもよい。
【符号の説明】
【００４３】
１    コンロ
４    右コンロバーナ
１１    操作ボタン
２０    燃料供給装置
２５    連結部材
３０    火力調節カム
３５    カム溝
４０    ガス流量調節部
４１    筐体部
６０    ニードル弁
６１    前端部
６５    ピン
７０    規制部材
７７    スリット
４１０    ガス通路
４２１    筒部
４２２    孔部
Ｏ    操作軸心
【図１】
2018123966.tif 000003
【図２】
2018123966.tif 000004
【図３】
2018123966.tif 000005
【図４】
2018123966.tif 000006
【図５】
2018123966.tif 000007
【図６】
2018123966.tif 000008